(57)【特許請求の範囲】
【請求項１】
扁平型電池の収納部を有するケースと、このケースの一側部に設けられ前記扁平型電池が挿入される挿入部と、前記ケースの前記収納部に配設された第１の接点部を有する第１の電極板と、前記ケースに取付けられた第２の接点部を有する第２の電極板とを備え、前記挿入部には、前記第１の電極板の前記第１の接点部の取付高さよりも上方に突出させた突出部を形成し、前記第２の電極板には、ばね性を有する翼部を形成し、前記挿入部より挿入される前記扁平型電池の初期挿入時に、前記突出部により前記扁平型電池の先端部が持ち上げられると共に、前記翼部が前記突出部を挟んで位置する前記第１の接点部とは反対側の前記扁平型電池上面を付勢することにより、前記扁平型電池の先端が前記第１の接点部にぶつからないようにしたことを特徴とする電池ホルダー。
【請求項２】
前記ケースの前記扁平型電池を挿入する前記挿入部には、前記扁平型電池の挿入を案内する傾斜面部が形成されていることを特徴とする請求項１記載の電池ホルダー。
【発明の詳細な説明】
【０００１】
【発明の属する技術分野】
本発明は、ゲームソフトや事務機器など各種電子機器のメモリーバックアップ用として使用される電池ホルダーの構造に関し、特に扁平型電池の収納構造に関する。
【０００２】
【従来の技術】
従来の電池ホルダー、例えば扁平型電池の電池ホルダー構造としては、特開平１０−１５４４９３号がある。この従来の扁平型電池の電池ホルダー構造を図１０乃至図１２に示す。図１０は電池ホルダーを示す斜視図、図１１は電池ホルダーを示す平面図、図１２は電池ホルダーに扁平型電池を収納した状態を示す断面図である。
【０００３】
図において、ケース１１は合成樹脂などの成形材からなり、上下が開口された略円筒状に形成されている。このケース１１には、扁平型電池１２の周面１２ａに対応する周部１１ａが設けられ、上面には前記扁平型電池１２を挿脱自在に挿入可能な開口部１１ｂが形成されている。また、前記ケース１１の周部１１ａには、前記開口部１１ｂからの前記扁平型電池１２の離脱を阻止する阻止部１１ｃが設けられており、前記周部１１ａの対向する両端部からは後述する第１、および第２の端子部が保持される保持部１１ｄ、１１ｅが突出されて形成されたものとなっている。
【０００４】
第１、および第２の端子部１３、１４は、ステンレス鋼板などのばね性のある金属板から形成され、表面にニッケルメッキが施されている。前記第１の端子部１３には、前記ケース１１の周部１１ａ内に配設され、前記扁平型電池１２の周面１２ａ（正極面）に接触する一対からなる第１の接点部１３ａが設けられており、また、前記第２の端子部１４には、前記ケース１１の周部１１ａ下面側に配設され、前記扁平型電池１２の下面１２ｂ（負極面）に接触する第２の接点部１４ａが設けられている。また、前記第１、および第２の端子部１３、１４の他端側は、前記ケース１の保持部１１ｄ、１１ｅから外方へ突出されて、プリント基板１５の導電パターン（図示せず）に接続されるものとなっている。
【０００５】
次に、前記電池ホルダーへ前記扁平型電池１２を収納するには、前記プリント基板１５上に前記電池ホルダーを実装し、前記第１、および第２の端子部１３、１４を前記導電パターン（図示せず）に半田付けした後、前記扁平型電池１２を前記ケース１１の開口部１１ｂから挿入する。この時、前記扁平型電池１２は、その上面が前記周部１１ａに設けられた阻止部１１ｃにより係止され、下面１２ｂ（負極面）が前記周部１１ａ下面側に配設された前記第２の接点部１４ａと当接されることで保持され、前記扁平型電池１２の周面１２ａ（正極面）は、一対の前記第１の接点部１３ａと接触することで、前記ケース１１内に収納されるものとなる。
【０００６】
【発明が解決しようとする課題】
しかしながら、上述した従来の扁平型電池の電池ホルダーの構造においては、ケース１１の周部１１ａ上面には、扁平型電池１２を挿脱自在に挿入可能な開口部１１ｂが設けられ、周部１１ａ内に、扁平型電池１２の周面１２ａ（正極面）に接触する第１の接点部１３ａが、また、下面側には扁平型電池１２の下面１２ｂ（負極面）に接触する第２の接点部１４ａが配設されており、開口部１１ｂから扁平型電池１２を挿入する際、扁平型電池１２が傾きやすく、曲がって挿入された場合に、扁平型電池１２の正極面と負極面との接合面近傍が、下面側の第２の接点部１４ａに同時に接触してショートしてしまい、電池が劣化してしまうという問題があった。
【０００７】
したがって、本発明では上述した問題点を解決し、電池ホルダーに扁平型電池を挿入する場合に、挿入性が良く、傾くことなく収納できると共に、扁平型電池の正極面と負極面との接合面近傍と、下面側に配設された接点部を有する電極板との同時接触を回避することができる、扁平型電池の電池ホルダーの構造を提供することを目的とする。
【０００８】
【課題を解決するための手段】
上記課題を解決するために本発明では第１の手段として、扁平型電池の収納部を有するケースと、このケースの一側部に設けられ前記扁平型電池が挿入される挿入部と、前記ケースの前記収納部に配設された第１の接点部を有する第１の電極板と、前記ケースに取付けられた第２の接点部を有する第２の電極板とを備え、前記挿入部には、前記第１の電極板の前記第１の接点部の取付高さよりも上方に突出させた突出部を形成し、前記第２の電極板には、ばね性を有する翼部を形成し、前記挿入部より挿入される前記扁平型電池の初期挿入時に、前記突出部により前記扁平型電池の先端部が持ち上げられると共に、前記翼部が前記突出部を挟んで位置する前記第１の接点部とは反対側の前記扁平型電池上面を付勢することにより、前記扁平型電池の先端が前記第１の接点部にぶつからないようにしたことを特徴とする。
【０００９】
また、第２の手段として、前記ケースの前記扁平型電池を挿入する前記挿入部には、前記扁平型電池の挿入を案内する傾斜面部が形成されていることを特徴とする。
【００１２】
【発明の実施の形態】
以下、本発明の１実施例を図１乃至図９に示す。図１は本発明の電池ホルダーを示す平面図、図２は同じく側面図、図３は同じく下面図、図４は同じく底面図、図５は本発明のケースと第１の電極板の配設状態を示す平面図、図６は本発明の電池ホルダーに扁平型電池を挿入する場合の初期状態図、図７は同じく挿入途中の状態図、図８は同じく挿入完了時の状態図、図９は同じく挿入途中の扁平型電池と第１の電極板との相関図である。
【００１３】
図において、ケース１は、合成樹脂などの絶縁材で略平板状に形成されており、その中央には扁平型電池２が収納される収納部１ａが形成されている。この収納部１ａ底面の中央部には、後述する第１の電極板の第１の接点部が配設され、取り付けられる取付孔１ｂが設けられ、この取付孔１ｂの中央部は前記第１の接点部が撓んだ場合の逃げ部１ｃを形成している。また、前記収納部１ａの一側部には、前記第１の電極板の第１の端子部が配設され、この第１の端子部が前記ケース１の外部へと導出される切り欠き部１ｄが形成されている。
【００１４】
また、前記収納部１ａの前記切り欠き部１ｄと、前記取付孔１ｂを挟んで対向する他の一側部には、前記扁平型電池２の挿入部１ｅが設けられ、この挿入部１ｅには、前記扁平型電池２を挿入する場合に挿入を案内して挿入し易くするための傾斜面部１ｆが形成されたものとなっている。また、前記挿入部１ｅには前記傾斜面部１ｆに連続して、さらに突出部１ｇが形成されており、この突出部１ｇは、前記挿入部１ｅから挿入される前記扁平型電池２の初期挿入時に、前記扁平型電池２の先端が前記第１の接点部にぶつからないようにするため、前記第１の電極板の前記第１の接点部の取付高さよりも上方に突出させて形成されたものとなっている。
【００１５】
また、前記ケース１の前記挿入部１ｅとの反対側には、前記切り欠き部１ｄを挟んで対向する一対の壁部１ｈが形成されており、この壁部１ｈに、前記挿入部１ｅから挿入された前記扁平型電池２が当接し、前記ケース１の収納部１ａに収納保持されるものとなっている。また、前記ケース１の両側部には、後述する第２の電極板が係止される係止突部１ｉが形成されている。
【００１６】
第１の電極板３は、ステンレス鋼板などのばね性のある金属板から形成され、必要に応じて表面にニッケルなどのメッキ処理が施されている。この第１の電極板３は、その中央に突出した突起からなる第１の接点部３ａが形成され、この第１の接点部３ａの両側には一対の細長い切り溝３ｂが設けられている。この切り溝３ｂが設けられたことにより、前記第１の接点部３ａは上下方向に撓むことが可能となっている。また、この切り溝３ｂの外側には一対の取付腕部３ｃが設けられ、この取付腕部３ｃが、前記ケース１に設けられた取付孔１ｂに係止されることによって前記第１の電極板３が前記ケース１に取り付けられるものとなっている。
【００１７】
また、前記第１の電極板３の一端部には、前記第１の接点部３ａから延設された第１の端子部３ｄが形成されており、この第１の端子部３ｄは、前記ケース１に設けられた切り欠き部１ｄに配設され、その先端部が前記ケース１の外部へ導出されたものとなっている。また、前記第１の端子部３ｄの先端部は、その途中において、前記ケース１の前記収納部１ａの形成側と反対側へ延出されると共に、前記ケース１の下面側へ折り曲げられており、前記ケース１の外形より外側へ突出しないように形成されている。
【００１８】
第２の電極板４は、同じくステンレス鋼板などのばね性のある金属板から形成され、必要に応じて表面にニッケルなどのメッキ処理が施されている。この第２の電極板４は、平面視、略六角形をしており、その内の１つで、対向する２つの辺部には、前記ケース１の両側部に設けられた前記係止突部１ｉに係合される、折り曲げ部に係止孔４ａを有する基部４ｂが形成されている。この基部４ｂの平面上には、幅広の平面部４ｃが設けられ、この平面部４ｃの両側からは、前記第１の電極板３側へ向けて先端側が傾斜された翼部４ｄが延設して一対形成されている。また、この翼部４ｄの先端には、突出された突起からなる第２の接点部４ｅが各々設けられている。また、前記基部４ｂの折り曲げ部の先端側には、さらに前記ケース１の下面側へ折り曲げられ、前記ケース１の外形より外側へ突出しないように設けられた、第２の端子部４ｆが形成されており、その折り曲げられた面と前記第１の端子部３ｄの先端部とは同一平面となるように各々形成されている。
【００１９】
また、前記第２の電極板４の前記翼部４ｄの一方には、この翼部４ｄとは直交して前記ケース１の前記収納部１ａの方向に屈曲された一対のストッパー片４ｇが形成されており、このストッパー片４ｇが形成された前記翼部４ｄは、前記ケース１に設けられた前記扁平型電池２の挿入部１ｅに対応して、同じ側に位置するように前記ケース１に取り付けられるものとなっている。
【００２０】
次に、上述した本発明の電池ホルダーへ前記扁平型電池２を収納するには、図示しないプリント基板上に前記電池ホルダーを実装し、前記第１、および第２の端子部３ｄ、４ｆの導出部分を、図示しない導電パターンにリフローなどの方法で半田付けをする。この場合、前記第１、および第２の端子部３ｄ、４ｆの導出部分が前記ケース１の外形より内側に形成されていることから、前記電池ホルダーの小型化が可能で、前記プリント基板の導電パターンの設計に自由度が広がり、実装密度が向上される。
【００２１】
次に、前記扁平型電池２を前記ケース１の挿入部１ｅから挿入する。この時、前記扁平型電池２は、その先端部が前記ケース１の挿入部１ｅに設けられた傾斜面部１ｆによって案内され、スムーズに挿入されることとなる。また、前記傾斜面部１ｆに連続してさらに突出部１ｇが形成されていることから、この突出部１ｇにより前記扁平型電池２の先端部が持ち上げられて、前記挿入部１ｅから挿入される前記扁平型電池２の先端の正極面２ａと負極面２ｂとの接合面の近傍が、同時に前記第１の接点部３ａにぶつからないようになっている。
更に、前記第２の電極板４には、ばね性を有する一対の翼部４ｄが形成されており、この一対の翼部４ｄの一方が、前記突出部１ｇを挟んで位置する前記第１の接点部３ａとは反対側の前記扁平型電池２の正極面２ａの上面を付勢することにより、前記挿入部１ｅから挿入される前記扁平型電池２の先端の正極面２ａと負極面２ｂとの接合面の近傍が、同時に前記第１の接点部３ａにぶつからないようにしている。
【００２２】
次に、前記扁平型電池２が前記ケース１の挿入部１ｅ内に挿入されると、前記扁平型電池２は、前記ケース１の挿入部１ｅの反対側に設けられた一対の前記壁部１ｈに当接され、それ以上の挿入ができなくなり、また、前記挿入部１ｅ側の前記第２の電極板４の一対の翼部４ｄの一方に設けられた一対のストッパー片４ｇによって、前記扁平型電池２の挿入後の飛び出しも阻止される。この状態で、前記扁平型電池２は、前記第１の電極板３の第１の接点部３ａと第２の電極板４の第２の接点部４ｅとの間に挟持されるものとなり、前記ケース１内に収納されるものとなる。
【００２３】
上述した、本発明の電池ホルダーの構成においては、前記ケース１の前記扁平型電池２の挿入部１ｅを一側部に形成し、この挿入部１ｅに、前記扁平型電池２の挿入を案内する傾斜面部１ｆを設けたので、スムーズな挿入が可能となる。また、前記傾斜面部１ｆに連続して突出部１ｇを設けたことから、この突出部１ｇにより前記扁平型電池２の先端部が持ち上げられて、前記挿入部１ｅから挿入される前記扁平型電池２の先端の正極面２ａと負極面２ｂとの整合面の近傍が同時に前記第１の接点部３ａにぶつかることがないため、前記扁平型電池２の挿入途中に各電極間がショートするという弊害を未然に防止できる。
【００２４】
また、前記第１、および第２の端子部３ｄ、４ｆの先端部を、前記ケース１の外形より内側に位置するように折り曲げて形成したことから、前記ケース１の小型化が可能となりプリント基板上への実装密度が向上される。また、前記第２の電極板４に前記平面部４ｃを形成し、前記ケース１の前記収納部１ａを覆うように前記ケース１上に装着したことから、前記ケース１の前記収納部１ａ上を覆うカバーなどの別部品の使用を不要とし、小型化、薄型化が可能となり、自動機による自動装着も可能となる。
【００２５】
また、前記扁平型電池２を前記第１の電極板３の第１の接点部３ａと、前記第２の電極板４の一対の翼部４ｄに形成した第２の接点部４ｅ間の上下の３箇所で、ばね性をもたせて挟持して収納する構成としたことから、押圧保持力が増し、前記第１、第２の電極板３、４と前記扁平型電池２との安定した接触が得られ、前記扁平型電池２の収納後の不用意な脱落を防止できる。
【００２６】
尚、上述した本発明の実施例においては、前記第２の電極板４に設けた翼部４ｄを一対とし、この各々の先端に突出した突起からなる前記第２の接点部４ｅを形成したが、本発明はこれに限るものではなく、前記翼部４ｄは１個でもよく、この場合には前記第２の接点部４ｅも１個設ければよい。
また、前記扁平型電池２を前記ケース１の収納部１ａに収納保持するための当接部として、前記ケース１に一対の壁部１ｈを設けたが、これに限らず、当接部は前記第２の電極板４の翼部４ｄに設けても良く、この場合には前記扁平型電池２の挿入部１ｅ側に設けられた一対のストッパー片４ｇと同じものを、これとは対向する位置にさらに一対設ければよい。
【００２７】
【発明の効果】
以上説明したように、本発明の電池ホルダーは、ケースの一側部に扁平型電池を挿入する挿入部が形成され、この挿入部には、第１の電極板の第１の接点部の取付高さよりも上方に突出させた突出部を形成し、第２の電極板には、ばね性を有する翼部を形成し、挿入部より挿入される扁平型電池の初期挿入時に、突出部により扁平型電池の先端部が持ち上げられると共に、翼部が突出部を挟んで位置する第１の接点部とは反対側の扁平型電池上面を付勢することにより、扁平型電池の先端が、下面側の第１の接点部にぶつからないようにしたことから、ケースへの扁平型電池の挿入が横方向に行えるためスムーズな挿入が可能となり、傾くことなく収納されると共に、挿入部から挿入される扁平型電池の先端が第１の接点部にぶつかることがないため、扁平型電池の挿入途中に各電極間がショートするという弊害を未然に防止できる。
また、第１の電極板の第１の接点部の取付高さよりも上方に突出させた突出部で短絡防止部材を構成したので、簡単な構造で短絡防止が可能となり、ローコスト化が図れる。
また、第２の電極板には、ばね性を有する翼部を形成し、この翼部が、突出部を挟んで位置する第１の接点部とは反対側の扁平型電池上面を付勢して、挿入部より挿入される扁平型電池の先端が第１の接点部にぶつからないようにしたことから、扁平型電池が完全にケースの収納部に収納された時点で、第１の接点部上に扁平型電池の負極面が位置するため、さらに確実に各電極間のショートを防止できる。
【００３０】
また、ケースの扁平型電池を挿入する挿入部には、扁平型電池の挿入を案内する傾斜面部が形成されているため、扁平型電池は、その先端部が傾斜面部によって案内され、スムーズに挿入されることとなり、傾くことなく確実に収納することができる。
【図面の簡単な説明】
【図１】本発明の１実施例である電池ホルダーを示す平面図である。
【図２】本発明の１実施例である電池ホルダーを示す側面図である。
【図３】本発明の１実施例である電池ホルダーを示す下面図である。
【図４】本発明の１実施例である電池ホルダーを示す底面図である。
【図５】本発明の１実施例であるケースと第１の電極板の配設状態を示す平面図である。
【図６】本発明の１実施例である電池ホルダーに扁平型電池を挿入する場合を示す初期状態図である。
【図７】本発明の１実施例である電池ホルダーに扁平型電池を挿入する場合の挿入途中を示す状態図である。
【図８】本発明の１実施例である電池ホルダーに扁平型電池を挿入する場合の挿入完了時を示す状態図である。
【図９】本発明の１実施例である電池ホルダーに扁平型電池を挿入する場合の挿入途中の扁平型電池と第１の電極板との関係を示す相関図である。
【図１０】従来の電池ホルダーを示す斜視図である。
【図１１】従来の電池ホルダーを示す平面図である。
【図１２】従来の電池ホルダーに扁平型電池を収納した状態を示す断面図である。
【符号の説明】
１  ケース
１ａ  収納部
１ｂ  取付孔
１ｃ  逃げ部
１ｄ  切り欠き部
１ｅ  挿入部
１ｆ  傾斜面部
１ｇ  突出部（短絡防止部材）
１ｈ  壁部
１ｉ  係止突部
２  扁平型電池
２ａ  正極面
２ｂ  負極面
３  第１の電極板
３ａ  第１の接点部
３ｂ  切り溝
３ｃ  取付腕部
３ｄ  第１の端子部
４  第２の電極板
４ａ  係止孔
４ｂ  基部
４ｃ  平面部
４ｄ  翼部
４ｅ  第２の接点部
４ｆ  第２の端子部
４ｇ  ストッパー片
【図１】
0003749394.tif 000002
【図２】
0003749394.tif 000003
【図３】
0003749394.tif 000004
【図４】
0003749394.tif 000005
【図５】
0003749394.tif 000006
【図６】
0003749394.tif 000007
【図７】
0003749394.tif 000008
【図８】
0003749394.tif 000009
【図９】
0003749394.tif 000010
【図１０】
0003749394.tif 000011
【図１１】
0003749394.tif 000012
【図１２】
0003749394.tif 000013